(57)【要約】【課題】テールコードの一方の端子だけ外せばテールコード芯線の断線状態を確認できるエレベーターにおけるテールコードの断線測定方法を提供すること。【解決手段】エレベーターにおけるテールコードの断線測定方法において、制御盤１とテールコード１１との接続部、及びテールコード１１と乗りかご４との接続部の少なくとも一方を着脱可能な端子７，８，９，１０で結合し、制御盤１と乗りかご４とのテールコード芯線１１ａ〜１１ｎによる接続を１つの信号に対して２系統の芯線で接続する２重化接続としておくとともに、断線測定の際には前記一方の接続部の端子を外し、２重化された芯線のそれぞれに測定器１３の端子を接続して断線状況を確認するものである。【選択図】図１
2005178973.tif 000002
【特許請求の範囲】
【請求項１】
制御盤、昇降路内を相反する方向に昇降する乗りかごとつり合いおもり、前記制御盤と乗りかごとを連絡し、制御盤と乗りかご間で信号等を伝達する複数の芯線を内蔵したテールコードを備えたエレベーターにおけるテールコードの断線測定方法において、前記制御盤とテールコードとの接続部、及びテールコードと乗りかごとの接続部の少なくとも一方を着脱可能な端子で結合し、制御盤と乗りかごとのテールコード芯線による接続を１つの信号に対して２系統の芯線で接続する２重化接続としておくとともに、断線測定の際には前期一方の接続部の端子を外し、２重化された芯線のそれぞれに測定器の端子を接続することを特徴とするエレベーターにおけるテールコードの断線測定方法。
【発明の詳細な説明】
【技術分野】
【０００１】
本発明はエレベーターにおけるテールコードの断線測定方法に関する。
【背景技術】
【０００２】
従来、この種の方法としては、制御盤とテールコードとの接続部及び、テールコードと乗りかごとの接続部の両方を外し、測定器の一方の端子をテールコードの制御盤側の端子に、他方の端子をテーブルコードの乗りかご側の端子にそれぞれ接続して各芯線の断線の有無を確認することが提案されている（特許文献１参照）。
【特許文献１】特開昭６２−３１６８１号公報（第２頁左上欄第５行〜右上欄第１６行）
【発明の開示】
【発明が解決しようとする課題】
【０００３】
上記従来の方法においては、測定器の端子をテールコードの制御盤側端子と乗りかご側端子とに接続する必要がある。そのため、制御盤とテールコードとの接続部及びテールコードと乗りかごとの接続部の両方を外さなければならない。また、制御盤は通常機械室に設置され、乗りかごは昇降路内に位置し、互いに離れているため測定器の端子の接続は離れた場所で行うこととなり２人と作業となる。さらに、複数本の芯線について２人の作業者が連携して接続換えしながら断線状態を確認するのは複数な作業で長時間かかることになる。
【０００４】
本発明の主な目的は、テールコードの一方の端子だけ外せばテールコード芯線の断線状態を確認できるエレベーターにおけるテールコードの断線測定方法を提供することにる。
【０００５】
本発明の他の目的は、１つの場所でテールコードの断線状態を確認できるエレベーターにおけるテールコードの断線測定方法を提供することにある。
【課題を解決するための手段】
【０００６】
上記目的は、制御盤とテールコードとの接続部、及びテールコードと乗りかごとの接続部の少なくとも一方を着脱可能な端子で統合し、制御盤と乗りかごとのテーブルコード芯線による接続を１つの信号に対して２系統の芯線で接続する２重化接続としておくとともに、断線測定の際には前期一方の接続部の端子を外し、２重化された芯線のそれぞれに測定器の端子を接続することを特徴とするエレベーターにおけるテールコードの断線測定方法により達成される。
【発明の効果】
【０００７】
本発明によれば、テールコードの一方の端子だけ外せばテールコード芯線の断線状態を確認できるエレベーターにおけるテールコードの断線測定方法を提供することができる。
【０００８】
また、１つの場所でテールコードの断線状態を確認できるエレベーターにおけるテールコードの断線測定方法を提供することができる。
【発明を実施するための最良の形態】
【０００９】
以下に発明の一実施形態を図１〜図３により説明する。図１に示すようにエレベーターは、機械室に設置された制御盤１、複数の階床にわたって形成された昇降路２内を昇降するもので、主ロープ３を介して連結されている乗りかご４及びつり合いおもり５と、主ロープ３の途中に係合し、主ロープ３を介して乗りかご４及びつり合いおもり５を相反する方向に移動させるための巻き上げ機６と、端部が前記制御盤１と乗りかご４とに接続集合端子（ＭＬＣ）７，８，９，１０を介して接続されたテールコード１１とを備えている。前記テールコード１１は、十数本の芯線１１ａ〜１１ｎが内蔵され各芯線１１ａ〜１１ｎを通じて制御盤１と乗りかご４間で信号の授受を行うようになっている。ＭＬＣ７，８は同じ端子配列を有する構成のもので、テールコード１１に接続されているＭＬＣ端子８Ａ、このＭＬＣ端子８Ａに結合するＭＬＣ端子８Ｂ、制御盤１に接続されているＭＬＣ端子７Ｂ、このＭＬＣ端子７Ｂに結合するＭＬＣ端子７Ａから構成されている。そして、ＭＬＣ端子８ＢとＭＬＣ端子７Ａとは、ＭＬＣ端子８Ｂの２つの端子８ｂ１、８ｂ２とＭＬＣ端子７Ａの１つの端子７ｂ１、同様に端子８ｂ３、８ｂ４と端子７ｂ３、端子８ｂ５、８ｂ６と端子７ｂ５がそれぞれ信号線で接続されている。乗りかご４側のＭＬＣ９，１０も同様の接続となっている。このように、制御盤１からの１つの信号線に対して、テールコード１１内では２本の芯線、乗りかご４の器具ボックスには１本の信号線で接続される。すなわち１本の信号線に対してテールコード１１の部分が２本の芯線とした２重化接続となっている。次にテールコードの芯線の断線有無の確認方法を図３により説明する。乗りかご４を任意の階床、例えば最上階に停止し、運転休止状態とし電源を遮断する。次に機械室内の制御盤１付近のＭＬＣ端子８ＡとＭＬＣ端子８Ｂとの結合を解除（離す）してＭＬＣ端子８ＡにＭＬＣ端子１２Ｂを介して断線測定器１３を接続する。断線測定器１３内には高度なテスター１３Ａ、測定対象を選択する切り替えスイッチ１３Ｂを内蔵しており、電極線１３Ｘ、１３Ｙが芯線１１ａと芯線１１ｂ、芯線１１ｃと芯線１１ｄ、芯線１１ｍと芯線１１ｎにそれぞれ接続されるように切り替え、芯線１１ａと芯線１１ｂ間、芯線１１ｃと芯線１１ｄ間、芯線１１ｍと芯線１１ｎ間に電流を流して断線状況を順次確認していく。芯線１１ａ〜心線１１ｎの断線状況の測定確認が終了したら、ＭＬＣ端子８ＡにＭＬＣ端子１２Ｂとの結合を解除し、ＭＬＣ端子８Ｂを接続し通常状態に復帰する。
【図面の簡単な説明】
【００１０】
【図１】本発明の一実施形態の説明用模式図である。
【図２】本発明の適用対象となるエレベーターの模式図である。
【図３】本発明の一実施形態の説明用模式図であって、テールコードと制御盤、乗りかごとの接続状態を示す図である。
【符号の説明】
【００１１】
１．  制御盤
２．  昇降路
３．  乗りかご
４．  巻き上げ機
７．  集合接続端子（ＭＬＣ）
８．  集合接続端子（ＭＬＣ）
９．  集合接続端子（ＭＬＣ）
１０．  集合接続端子（ＭＬＣ）
１１．  テールコード
１３．  測定器
１３Ａ．  高感度テスター
１３Ｂ．  切り替えスイッチ
【図１】
2005178973.tif 000003
【図２】
2005178973.tif 000004
【図３】
2005178973.tif 000005